(57)【要約】      （修正有）【課題】手から落とした工具が大きく落下するのを防ぎ、落とした工具の重さによって作業員に加わる衝撃を吸収し、工具の重さに応じて伸長度を調整し、商品名、記号等を視認しやすく表示可能な工具落下防止用連結索具を提供する。【解決手段】帯状伸縮体の外周を軟質被覆体５で伸縮自在に被覆した帯状ロープ体２の両端に係止具３を取り付け、帯状ロープ体２の両端部及び中間部に非伸縮部１２ａ，１２ｂを設けてある。軟質被覆体５は、非伸縮性素材より成り、常態(伸長していない状態）における帯状伸縮体より長い袋状に形成されると共に、長さ方向に緩みをもって常態における帯状伸縮体を被覆し、非伸縮部１２ａ，１２ｂは、軟質被覆体５の一部を緩みの無い状態で常態における帯状伸縮体の一部に固定することにより形成されている。【選択図】図２
0003179170.tif 000002
【実用新案登録請求の範囲】
【請求項１】
帯状伸縮体の外周を軟質被覆体で伸縮自在に被覆した帯状ロープ体の両端に係止具を取り付けた工具落下防止用連結索具において、帯状ロープ体の両端部及び中間部に非伸縮部を設けたことを特徴とする工具落下防止用連結索具。
【請求項２】
軟質被覆体は、非伸縮性素材より成り、常態における帯状伸縮体より長い袋状に形成されると共に、長さ方向に緩みをもって常態における帯状伸縮体を被覆し、非伸縮部は、軟質被覆体の一部を緩みの無い状態で常態における帯状伸縮体の一部に固定することにより形成されていることを特徴とする請求項１に記載の工具落下防止用連結索具。
【考案の詳細な説明】
【技術分野】
【０００１】
本考案は、工具を作業員に連結し、高所等での作業時に工具が落下するのを防ぐ工具落下防止用連結索具に関する。
【背景技術】
【０００２】
工事現場等では、作業を行う際に各種の工具を用いるのが一般的であるが、高所の作業では、工具を落とすと下にいる人や物品に当たって損傷を与える心配があり、非常に危険である。
そこで、従来、工具を作業員に結び付けて落下を防ぐ帯状の連結索具が種々提案されている。
例えば、特許文献１には、フレキシブル伸縮ロープ体と、軟質被覆体と、二つの連結部を備え、フレキシブル伸縮ロープ体を被覆する軟質被覆体に、フレキシブル伸縮ロープ体の伸縮に伴って皺の幅が変化する折縁部を設け、連結部をフレキシブル伸縮ロープ体及び軟質被覆体の両端に連結した工具落下防止用連結索具が記載されている。
【０００３】
上記従来の連結索具によれば、高所での作業中に工具を手から落としても、工具が落下して人や物品に衝突することがなく、フレキシブル伸縮ロープ体が伸縮して工具の重量による衝撃を吸収することができる。
しかし、重さが異なる様々な工具を同じ連結索具で連結すると、重い工具を落とした時には連結索具が伸びすぎて物品等にぶつかり、事故が発生するおそれがある。また、帯状の長いフレキシブル伸縮ロープ体を長い袋状の軟質被覆体で被覆してあるため、長期間使用するとフレキシブル伸縮ロープ体と軟質被覆体が相対的に捩れやすく、捩れてしまうと見栄えが悪いばかりか、フレキシブル伸縮ロープ体の伸長度も変ってしまう。
【先行技術文献】
【特許文献】
【０００４】
【特許文献１】実用新案登録第３１５６５０４号公報
【考案の概要】
【考案が解決しようとする課題】
【０００５】
本考案が解決しようとする課題は、手から落とした工具が大きく落下するのを防ぎ、また、落とした工具の重さによって作業員に加わる衝撃を吸収し、工具の重さに応じて帯状ロープ体が必要以上に伸びないよう調整し、さらに、商品名、記号等を視認しやすく表示可能な工具落下防止用連結索具を提供することにある。
【課題を解決するための手段】
【０００６】
本考案は、帯状伸縮体の外周を軟質被覆体で伸縮自在に被覆した帯状ロープ体の両端に係止具を取り付けた工具落下防止用連結索具に関し、帯状ロープ体の両端部及び中間部に非伸縮部を設けてある。
軟質被覆体は、非伸縮性素材より成り、常態(伸長していない状態）における帯状伸縮体より長い袋状に形成されると共に、長さ方向に緩みをもって常態における帯状伸縮体を被覆し、非伸縮部は、軟質被覆体の一部を緩みの無い状態で常態における帯状伸縮体の一部に固定することにより形成されている。
【考案の効果】
【０００７】
請求項１に係る考案によれば、工具を作業員に連結しておくことにより、高所等での作業時に工具を手から落としても、工具が落下して下にいる人や物品を傷つける心配がなく、帯状ロープ体が伸縮して、工具の重量による衝撃を吸収するため、衝撃によってバランスを崩し作業員が落下する事故も少なくできる。
また、同じ長さの帯状伸縮体を用いても、中間部の非伸縮部の数や長さを変化させることにより、帯状伸縮体の伸縮可能部分の長さを調整できるので、工具の重さに応じて帯状伸縮体が伸びすぎないよう伸長度を調整した帯状ロープ体を作成することができる。
さらに、非伸縮部は、軟質被覆体に緩みがなく、外面が平らに形成されるため、商品名、記号、模様等を視認しやすく表示できる。
請求項２に係る考案によれば、両端部だけでなく中間部で帯状伸縮体と軟質被覆体を固定してあるので、帯状伸縮体が軟質被覆体の内部で捩じれるのを防止することができる。
【図面の簡単な説明】
【０００８】
【図１】本考案の実施例を示す工具落下防止用連結索具の使用状態における斜視図である。
【図２】本考案の実施例を示す工具落下防止用連結索具の斜視図である。
【図３】本考案の実施例を示す工具落下防止用連結索具の一部破断斜視図である。
【図４】本考案の実施例を示す工具落下防止用連結索具の要部断面図であり、（イ）は常態、（ロ）は伸長時の断面である。
【考案を実施するための形態】
【０００９】
以下、本考案の実施例を図面に基づいて詳細に説明する。
本考案の工具落下防止用連結索具１は、図１に示すように、手持ちの工具Ａを作業員の腰ベルトＢ等に連結するものであって、図２に示すように、帯状ロープ体２と、係止具３を備える。
帯状ロープ体２は、帯状伸縮体４の外周を軟質被覆体５で伸縮自在に被覆して成る（図３）。なお、帯状ロープ体２は、長すぎても短すぎても工具Ａを用いた作業の邪魔になるので、常態で６０〜７０ｃｍ程度の長さ（作業員の腕長をやや上回る長さ）とするのが望ましい。
【００１０】
帯状伸縮体４は、伸縮性を有するゴム、合成ゴム等を素材とする薄い帯状片６を複数枚積層して形成される。
また、帯状伸縮体４は、工具Ａの重量が繰り返し加わっても破断しない強度と耐久性を有する。
軟質被覆体５は、ナイロン等の傷や汚れが付き難く、強靭で非伸縮性の布を素材とし、常態（伸長していない状態）における帯状伸縮体４より長い袋状に形成される。
また、軟質被覆体５の径は帯状伸縮体４の幅よりやや大きく、軟質被覆体５で帯状伸縮体４を被覆すると、軟質被覆体５は帯状伸縮体４に対して自由に摺動できるようになっている。
【００１１】
係止具３は、強度の高い金属で形成され、係止具本体７と、揺動片８と、取付部９を備える。
係止具本体７は、一側片の基端寄りに開口部１０を有する長円形状に形成され、開口部１０の基端側に揺動片８が揺動可能に取り付けられる。揺動片８は、揺動に伴って開口部１０を開閉すると共に、閉鎖方向に付勢されている。
取付部９は、環状の部材で、係止具本体７の基端に、長軸に沿う軸を中心として回動可能に取り付けられている。
従って、揺動片８を押して開口部１０を開くと、係止具本体７の内部に被係止物を通すことができ、揺動片８を解放すると、開口部１０が閉じて被係止物が係止具本体７から脱出できなくなる。
【００１２】
軟質被覆体５は、その両端縁が帯状伸縮体４の両端縁と一致するよう、長さ方向に緩みをもって常態における帯状伸縮体４の外周を被覆する。従って、常態では、軟質被覆体５の長さ方向に多数の皺１１が形成される。
帯状ロープ体２が伸長すると、軟質被覆体５は皺１１が伸びることによって帯状伸縮体４の伸びに追随するが、軟質被覆体５が平坦な状態まで伸びきると、軟質被覆体自体は伸びる素材で形成されていないので、帯状ロープ体２はそれ以上伸びることができない。
【００１３】
また、図２に示すように、帯状ロープ体２の両端部及び中間部の非伸縮部１２ａ，１２ｂは、緩みの無い状態（皺１１の無い状態）の軟質被覆体５が常態における帯状伸縮体４の適宜長さにわたる両端に固定される。
帯状伸縮体４と軟質被覆体５が固定された部分では、緩みがない非伸縮性の軟質被覆体５に規制されて帯状伸縮体４は延びることができず、この結果、帯状ロープ体２の両端部及び中間部にそれぞれ非伸縮部１２ａ，１２ｂが形成される。
【００１４】
帯状ロープ体２の両端部において、軟質被覆体５と帯状伸縮体４を固定するには、図３に示すように、約１０ｃｍの長さにわたり、皺１１が無いように軟質被覆体５を伸ばして伸長していない帯状伸縮体４に被せ、次いで、係止具３の取付部９に通して両端から約５ｃｍの部分で折り返し、折り返し部分の中間部及び基部を縫着してある。
これにより、帯状ロープ体２の両端部に約５ｃｍの長さの非伸縮部１２ａが形成されると共に、帯状ロープ体２の両端に係止具３が取り付けられる。
【００１５】
帯状ロープ体２の中間部において、軟質被覆体５と帯状伸縮体４を固定するには、適宜長さにわたって、皺１１が無いように伸ばした軟質被覆体５で伸長していない帯状伸縮体４を被覆し、伸ばした軟質被覆体５の両端を帯状伸縮体４に縫着する。
これにより、帯状ロープ体２の中間部において、軟質被覆体５と帯状伸縮体４の縫着部の間が非伸縮部１２ｂとなっている。
なお、軟質被覆体５と帯状伸縮体４を縫着するのに、軟質被覆体５の地色とは異なる色の糸を用いたり、クロスステッチ、大きなジグザグ縫い等にすることによって、意匠的な効果を高めることができる。
【００１６】
工具落下防止用連結索具１を使用する際には、図１に示すように、一方の係止具３を腰ベルトＢに設けられた金属環、孔等に係止し、他方の係止具３を工具Ａの孔等に係止して、工具Ａを作業員に連結する。
通常、工具Ａで作業を行っている時は、図４の（イ）に示すように、帯状伸縮体４が伸長しておらず、軟質被覆体５は緩んで深い皺１１が形成されている。
工具Ａを手から落とすと、図４の（ロ）に示すように、工具Ａの重量で帯状伸縮体４が伸長すると共に、軟質被覆体５が次第に広がって皺１１が浅くなり、帯状ロープ体２が長く伸びる。この時、非伸縮部１２ａ，１２ｂは、それ自体の長さを保ち、伸長することはない。
帯状伸縮体４がそれ以上伸長できなくなると、工具Ａの落下は停止し、帯状伸縮体４は反動で縮む。
【００１７】
なお、係止具は、図示のものに限定されず、確実に工具及び腰ベルトに係止できるものであればよい。また、両端の係止具を互いに異なる構造のものとすることもできる。
帯状ロープ体の中間部の非伸縮部は、中央でも、いずれか一方の端部寄りに偏って設けてもよく、連結する工具の重さの違いに対応させるために、非伸縮部の長さや数を変えて設けることも可能であり、帯状ロープ体の中間部に複数の非伸縮部を設ける場合は、非伸縮部の長さを同じにしても、互いに変えても良い。
【符号の説明】
【００１８】
１  工具落下防止用連結索具
２  帯状ロープ体
３  係止具
４  帯状伸縮体
５  軟質被覆体
６  帯状片
７  係止具本体
８  揺動片
９  取付部
１０  開口部
１１  皺
１２ａ，１２ｂ  非伸縮部
【図１】
0003179170.tif 000003
【図２】
0003179170.tif 000004
【図３】
0003179170.tif 000005
【図４】
0003179170.tif 000006